(57)【要約】【課題】内装材に挿入された陰茎に対して圧迫感を適度に調整しながら心地良い刺激を与えて速やかに精子を採取する。【解決手段】円筒状に形成された軟質発泡プラスチック製の外装材３と、外装材３の内部に挿入され、内部に深い凹部空間４１ａを有する弾性変形自在な軟質シリコーンゴム製の内装材４とを備えた精子採取器において、前記外装材３の周囲に断面変形自在な軟質発泡ポリウレタン樹脂製の把持材２が装着される。これにより、把持材２を把握すれば、当該把持材２の把握による断面変形をそのまま外装材３を介して内装材４に伝えることができる。したがって、使用に際して把持材２を握った感じを、そのまま内装材４の凹部空間４１ａに挿入した陰茎に伝えることができるのであり、そして、陰茎に対する圧迫感を適度に調整しつつ往復運動することができる。【選択図】図１
0003141590.tif 000002
【実用新案登録請求の範囲】
【請求項１】
内部に深い凹部空間を有する弾性変形自在な軟質高分子材料製の内装材を備えた精子採取器において、この内装材の外周囲に、断面変形自在な軟質高分子材料製の把持材が、直接または円筒状に形成された軟質高分子材料製の外装材を介して、装着されていることを特徴とする精子採取器。
【請求項２】
請求項１に記載の精子採取器において、軟質高分子材料がエラストマー又はその発泡体、軟質合成樹脂又はその発泡体であることを特徴とする精子採取器。
【請求項３】
請求項１又は２に記載の精子採取器において、内装材の入口部内周面に複数個の突起部および細かな襞状部が、中間部内周面に複数本の凸条が、奥部内周面に複数個の突起部が、それぞれ凹部空間に突出して形成されていることを特徴とする精子採取器。
【考案の詳細な説明】
【技術分野】
【０００１】
この考案は、病院などの医療機関にて精子の採取に使用される精子採取器に関するものである。
【背景技術】
【０００２】
従来より、精子を採取して研究や治療などに活用することが行われている。このような精子の採取に使用される精子採取器は、特許文献１に示されるように、筒状に形成されたプラスチック製の容器本体と、この容器本体内に挿入され、筒状に形成された軟質発泡プラスチック製の外装材と、この外装材の内部に挿入され、内部に深い凹部空間を有する弾性変形自在な軟質プラスチック製の内装材と、この内装材の凹部空間への入口側となる外装材の一端に配設され、十字状のスリットが形成された挿入材とから構成されており、容器本体の開口端にキャップが着脱自在に装着されている。
【特許文献１】実用新案登録第３０７６６２７号公報
【考案の開示】
【考案が解決しようとする課題】
【０００３】
ところで、前述した精子採取器においては、キャップを容器本体から取り外した後、挿入材の十字状スリットを通して陰茎を内装材の凹部空間に挿入し、容器本体を手で把持し、往復運動することによって精子を採取するようにしている。この場合、容器本体が有底で一定の厚みで成形されて剛性があることから、外力による変形に対する抵抗が大きく、簡単に断面変形し難い性状を有している。
【０００４】
一方、内装材の凹部空間に挿入された陰茎に対する刺激は、主に内周面に形成された細かな襞状部により得られることから、容器本体が剛性によって断面変形し難いことと相俟って、容器本体を把握しても、外装材、内装材を通して陰茎に対する適度な圧迫感（刺激）を与えることができず、精子の採取に時間を要するという問題があった。
【０００５】
本考案は、このような問題に鑑みてなされたもので、内装材に挿入された陰茎に対して圧迫感を適度に調整しながら与えて速やかに精子を採取することのできる精子採取器を提供するものである。
【課題を解決するための手段】
【０００６】
本考案の精子採取器においては、内部に深い凹部空間を有する弾性変形自在な軟質高分子材料製の内装材を備えた精子採取器において、この内装材の外周囲に、断面変形自在な軟質高分子材料製の把持材が、直接または円筒状に形成された軟質高分子材料製の外装材を介して、装着されていることを特徴とするものである。
【０００７】
本考案によれば、把持材が断面変形自在な軟質高分子材料によって形成されているから、把持材を把握すれば、把持材の把握による断面変形をそのまま直接または外装材を介して弾性変形自在な内装材に伝えることができる。したがって、使用に際して把持材を握った感じを内装材に挿入した陰茎に直接伝えることができるので、陰茎に対する圧迫感を適度に調整しつつ往復運動することができる。そして、これにより、速やかに精子を採取することができるのである。
【０００８】
本考案に係る精子採取器において、前記軟質高分子材料としてはエラストマー又はその発泡体、軟質合成樹脂又はその発泡体がその使用感や適度の柔軟性が得られるうえ、心地良い刺激が得られるので好ましい。
【０００９】
前記エラストマー又はその発泡体としては、ポリウレタン系熱可塑性エラストマー、ポリアミド系熱可塑性エラストマー、ポリエステル系熱可塑性エラストマー、フッ素系熱可塑性エラストマー、ポリスチレン系熱可塑性エラストマー、ポリオレフィン系熱可塑性エラストマー又はポリジエン系熱可塑性エラストマー等の熱可塑性エラストマー或いはその発泡体が挙げられる。
【００１０】
又、前記軟質高分子材料の他例としては天然ゴム又は合成ゴムなどの各種ゴムが挙げられる。
【００１１】
前記軟質合成樹脂又はその発泡体としては、低密度ポリエチレンなどの軟質ポリオレフィン樹脂又はその発泡体、軟質ポリウレタン樹脂又はその発泡体等が挙げられる。
【００１２】
本考案において、前記内装材の入口部内周面に複数個の突起部および細かな襞状部が、中間部内周面に複数本の凸条が、奥部内周面に複数個の突起部が、それぞれ凹部空間に突出して形成されているものが好ましい。これにより、内装材に陰茎を挿入する際に、亀頭が複数個の突起部、細かい襞状部、複数本の凸条および複数本の突起部の順に接触し、刺激される。
【００１３】
一方、陰茎を内装材の凹部空間に挿入すると、陰茎が複数本の凸条によって包み込まれると共に、亀頭が複数個の突起部に接触することにより、往復運動によって陰茎および亀頭に心地よい刺激を与えることができる。
【考案の効果】
【００１４】
本考案によれば、内装材に挿入された陰茎に対して圧迫感を適度に調整しながら心地良い刺激与えて速やかに精子を採取することができる。
【考案を実施するための最良の形態】
【００１５】
以下、本考案の実施の形態を図面に基づいて説明する。
【００１６】
図１及び図２には、本考案の精子採取器１の一実施形態が示されている。
【００１７】
この精子採取器１は、円筒状に形成された軟質発泡ポリウレタン樹脂製の把持材２と、この把持材２の内部に挿入され、円筒状に形成された軟質発泡ポリウレタン樹脂製の外装材３と、この外装材３の内部に挿入され、内部に深い凹部空間４１ａを有する軟質シリコーンゴム製の内装材４とから主要部が構成されている。
【００１８】
そして、前記把持材２は、その両端部が外装材３の各端縁を一定長さ越えて突出しており、内装材４への入口となる把持材２の一端部側空間には、十字状のスリット５ａを形成した挿入材５が接着されている。
【００１９】
このような精子採取器１は、把持材２の他端部側空間にゴミ袋６およびローションを充填した容器７が収容された状態で、把持材２の一端部および他端部にそれぞれキャップ８が装着されていると共に、当該キャップ８を含む把持材２の外周面が包装フィルム９によって包装されて出荷される。
【００２０】
前記把持材２および外装材３は、軟質発泡ウレタン樹脂によって両端が開口した円筒状に形成されており、圧縮によって容易に断面変形可能な性状を有している。
【００２１】
又、前記内装材４は、軟質シリコーンゴムによって深い凹部空間４１ａを有する有底のフランジ４２付き筒体４１に形成されており、弾性変形可能な性状を有している。そして、この内装材４は、前記外装材３の一端にフランジ４２が接触した状態で、当該外装材３の内部に筒体４１が挿入されている。
【００２２】
ここで、内装材４における筒体４１の入口部内周面には、周方向に間隔をおいて複数個の突起部４１ｘが内方に突出して形成されていると共に、細かい襞状部４１ｙが一定長さにわたって形成されている。また、内装材４における筒体４１の中間部内周面には、長手方向に間隔をおいて複数本（実施例においては４本）の凸条４１ｚが内方に突出して形成され、さらに、その奥部内周面には、周方向に間隔をおいて複数個の突起部４１ｗが長手方向に間隔をおいて、周方向に位相差を有して内方に突出して形成されている。
【００２３】
次に、このように構成された精子採取器１の使用方法について説明する。
【００２４】
まず、精子採取器１の包装フィルム９をミシン目に沿って切断し、当該包装フィルム９およびキャップ８を取り除いた後、ゴミ袋６および容器７を取り出す。次いで、容器７からローションを受け取り、ローションを挿入材５のスリット５ａに染み込ませると共に、内装材４における筒体４１の凹部空間４１ａの内面に塗布する。
【００２５】
この後、亀頭を挿入材５のスリット５ａにあてがい、挿入材５を通して内装材４における筒体４１の凹部空間４１ａに陰茎を押し込んで挿入する。この際、亀頭によって内装材４が弾性変形して押し広げられる。そして、亀頭が凹部空間４１ａに突出して形成された複数個の突起部４１ｘ、細かい襞状部４１ｙ、複数本の凸条４１ｚおよび複数個の突起部４１ｗの順に接触し、亀頭に心地良い刺激を与えることができる。
【００２６】
また、前記内装材４における筒体４１の凹部空間４１ａに陰茎を挿入すると、陰茎が複数本の凸条４１ｚによって包み込まれるとともに、亀頭が複数個の突起部４１ｗに四方八方から接触し、陰茎および亀頭に心地よい刺激を与えることができる。
【００２７】
次いで、精子採取器１を手で把握して前後方向に往復運動することにより、陰茎および亀頭に複数本の凸条４１ｚと複数個の突起部４１ｗによって適度な刺激を与えることができる。具体的には、前記把持材２は軟質発泡ウレタン樹脂によって形成され、把握（圧縮）することによって容易に断面変形することから、把持材２の把握による断面変形を、同質の外装材３を介し内装材４に伝えて当該内装材４を弾性変形させることができる。つまり、前記把持材２を握った感じをそのまま外装材３および内装材４の順に伝えて、凸条４１ｚをさらに内方に突出するように弾性変形させることができる。これにより、内装材４の凸条４１ｚを内装材４に挿入された陰茎に確実に接触させることができ、陰茎に対する圧迫感（刺激）を心地よいように調整しながら往復運動することができる結果、速やかに精子を採取することができるのである。
【００２８】
採取した精子は、内装材４における筒体４１の凹部空間４１ａの底部に溜まっており、スポイトなどの器具を用いて取り出せばよい。また、精子を採取したならば、付属のゴミ袋６に使用済みの精子採取器１を入れて廃棄すればよいのである。
【００２９】
なお、前述した実施形態においては、内装材４が挿入された外装材３の周囲に把持材２を設けた場合を例示したが、外装材３を省略して、内装材４の外形に対応する内面形状に把持材２を形成し、当該把持材２に内装材４を直接挿入して精子採取器を形成してもよいのである。
【図面の簡単な説明】
【００３０】
【図１】本考案の精子採取器の一実施形態を示す断面図である。
【図２】本考案の精子採取器の使用形態を示す斜視図である。
【符号の説明】
【００３１】
１  精子採取器
２  把持材
３  外装材
４  内装材
４１  筒体
４１ａ  凹部空間
５  挿入材
【図１】
0003141590.tif 000003
【図２】
0003141590.tif 000004